(57)【要約】【課題】ユーザが異なる設定でも何れも同様の露光にすることが可能なデジタルカメラのフラッシュ制御方法を提供する。【解決手段】まず、各感度値に対応する指標値を決め、続いて、これらの感度値について、それぞれ対応するメイン発光強度を求め、露光後に達成される目標輝度を全て同様とすることによって、エネルギー表を作成する。また、各距離について、事前設定された予備発光の強度で発射して、対応する予備発光の輝度値を求める。さらに、各距離について、最大メイン発光強度に応じて前記エネルギー表に基づいて、対応するメイン発光の指標値を求め、露光後に達成される目標輝度を全て同様とすることによって、予備発光表を作成する。撮像時に、予備発光の輝度値及び予備発光表に基づいて対応するメイン発光強度を求める。【選択図】図１
2011242739.tif 000002
【特許請求の範囲】
【請求項１】
それぞれ複数個の感度値に対応する複数個の指標値を決定するステップと、
前記複数個の感度値について、小から大までそれぞれ対応するメイン発光強度を求め、露光後に達成される目標輝度を全て同様とすることによって、エネルギー表を作成するステップと、
複数個の距離について、事前設定された予備発光の強度で発射して、対応する複数個の予備発光の輝度値を求めるステップと、
前記複数個の距離について、最大メイン発光強度に応じて前記エネルギー表に基づいて、対応する複数個のメイン発光の指標値を求め、露光後に達成される目標輝度を全て同様とすることによって、予備発光表を作成するステップと、
撮像時に、前記予備発光の輝度値及び前記予備発光表に基づいて対応するメイン発光強度を求めるステップと、
を含むことを特徴とするデジタルカメラのフラッシュ制御方法。
【請求項２】
前記指標値を決定するステップにおいて、前記感度値が大きいほど対応する前記指標値は小さくなることを特徴とする請求項１に記載のデジタルカメラのフラッシュ制御方法。
【請求項３】
前記指標値を決定するステップにおいて、基礎感度値及び前記基礎感度値の２倍の感度値の間は１６等分に固定分割されることを特徴とする請求項２に記載のデジタルカメラのフラッシュ制御方法。
【請求項４】
前記の基礎感度値はＩＳＯ１００であることを特徴とする請求項３に記載のデジタルカメラのフラッシュ制御方法。
【請求項５】
前記エネルギー表の１つ目のメイン発光強度は前記最大メイン発光強度であって、これに対応する前記感度値はＩＳＯ１００であることを特徴とする請求項１に記載のデジタルカメラのフラッシュ制御方法。
【請求項６】
前記予備発光表の作成ステップは、
前記複数の距離について、基礎感度値を使用し、近距離から遠距離までそれぞれ対応するメイン発光強度を記録するステップと、
前記メイン発光強度が前記最大メイン発光強度に達すると、感度値を引き上げると共に、対応する前記指標値を記録するステップと、
前記最大メイン発光強度に達するまでの前記距離は、前記エネルギー表に基づいて、前記メイン発光強度を対応する前記指標値に変換するステップと、
を含むことを特徴とする請求項１に記載のデジタルカメラのフラッシュ制御方法。
【請求項７】
前記の基礎感度値はＩＳＯ１００であることを特徴とする請求項６に記載のデジタルカメラのフラッシュ制御方法。
【請求項８】
前記撮像ステップにおいて、さらに補間法で対応する前記メイン発光強度を求めるステップを含むことを特徴とする請求項１に記載のデジタルカメラのフラッシュ制御方法。
【請求項９】
前記撮像ステップの後、新感度値を決定すると共に、前記エネルギー表に基づいて前記新感度値に対応するメイン発光強度を求めるステップをさら含むことを特徴とする請求項１に記載のデジタルカメラのフラッシュ制御方法。
【請求項１０】
前記の撮像ステップは、前記予備発光の輝度値に基づき、前記予備発光表を検索して当初のメイン発光指標値を求め、前記当初のメイン発光指標値は当初の感度値に対応することを特徴とする請求項１に記載のデジタルカメラのフラッシュ制御方法。
【請求項１１】
前記撮像ステップの後、新感度値について、新メイン発光指標を対応させて求め、前記当初のメイン発光指標値と前記当初の感度値に対応する指標値の和は前記新メイン発光指標値と前記新感度値に対応する指標値の和に等しいステップと、前記新メイン発光の指標値に基づき、前記エネルギー表を検索して対応する前記メイン発光強度を求めるステップとを更に含むことを特徴とする請求項１０に記載のデジタルカメラのフラッシュ制御方法。
【発明の詳細な説明】
【技術分野】
【０００１】
本発明は、デジタルカメラに関し、より詳しくは、デジタルカメラのフラッシュ制御方法に関する。
【背景技術】
【０００２】
フラッシュライトは被写体を照らすための大部分のカメラの必需裝置である。一般的には暗がりや、光線の質を変化させるために使用される。フラッシュライトは内蔵でも外付けでもよい。
【０００３】
従来のデジタルカメラにはフラッシュライトの明るさや強度を制御するための各種メカニズムがあるものの、従来のカメラのフラッシュライトは内部や外部のハードウェアを交換する際（例えばフラッシュライト内のコンデンサやフラッシュライトのシェードの交換）、さらにはフラッシュライトの老朽化によって、しばしば精度や安定度が低下する。
【発明の概要】
【発明が解決しようとする課題】
【０００４】
しかしながら、前述した従来の技術では、フラッシュライトの老朽化によって、しばしば精度や安定度が低下するといった問題があった。
【０００５】
本発明は、このような従来の問題に鑑みてなされたものである。上記課題解決のため、本発明は、フラッシュライトの予備発光で求めた輝度値に基づいて、事前に作成した表によって対応するメイン発光強度と感度値を探し出すデジタルカメラのフラッシュ制御方法を提供することを主目的とする。こうして、ユーザは異なる設定でも何れも同様の露光にすることが可能となる。
【課題を解決するための手段】
【０００６】
本発明によれば、それぞれ複数個の感度値に対応する複数個の指標値を決定するステップと、複数個の感度値について、小から大までそれぞれ対応するメイン発光強度を求め、露光後に達成される目標輝度を全て同様とすることによって、エネルギー表を作成するステップと、複数個の距離について、事前設定された予備発光の強度で発射して、対応する複数個の予備発光の輝度値を求めるステップと、複数個の距離について、最大メイン発光強度に応じてエネルギー表に基づいて、対応する複数個のメイン発光の指標値を求め、露光後に達成される目標輝度を全て同様とすることによって、予備発光表を作成するステップと、撮像時に、予備発光の輝度値及び予備発光表に基づいて対応するメイン発光強度を求めるステップとを含むことを特徴とするデジタルカメラのフラッシュ制御方法が提供される。
【図面の簡単な説明】
【０００７】
【図１】本発明の実施形態に係るデジタルカメラのフラッシュ制御方法のフローチャートである。
【図２】本発明の実施形態に係るエネルギー表である。
【図３】本発明の実施形態に係る予備発光表である。
【図４】本発明の実施形態に係る撮像のフローチャートである。
【発明を実施するための形態】
【０００８】
以下、本発明を実施するための形態について、図面に基づいて詳細に説明する。なお、本発明は、以下に説明する実施形態に限定されるものではない。
本発明の実施形態に係るデジタルカメラのフラッシュ制御方法につき、図１で本発明の実施形態に係るデジタルカメラのフラッシュ制御方法のフローチャートを示している。
まず、ステップ１１では、感度値（一般にＩＳＯ値という）と指標値の対応表を決める（又は定義する）。下の表１は一部の感度値とこれに対応する指標値を例示している。
【０００９】
【表１】
2011242739.tif 000003
【００１０】
表１では、感度値が大きいほど、対応する指標値は小さくなり、これと反対に、感度値が小さいほど、対応する指標値は大きくなる。
本実施形態では、ＩＳＯ１００を基礎感度値として指標値１２８に対応する。基礎感度値（ＩＳＯ１００）及び２倍の基礎感度値（ＩＳＯ２００）の間は、１６等分に固定分割する。
従って、ＩＳＯ２００が対応する指標値は１１２（＝１２８−１６である）。同様に、ＩＳＯ５０が対応する指標値は１４４（＝１２８＋１６）である。
【００１１】
続いて、ステップ１２で図2のように作成エネルギー表を作成する。
エネルギー表の目的はメイン発光強度（エネルギー）のエネルギー値とＩＳＯ値の間の変換関係を探し出すことにある。
本実施形態では、エネルギー表の第１列の１つ目（即ち左の最上角）のメイン発光強度値１５,０００はデジタルカメラの最大メイン発光強度で、これに対応する感度値はＩＳＯ１００（又は指標値１２８）である。
換言すると、デジタルカメラのフラッシュライトを最大メイン発光強度まで全開にすると、ちょうど目標輝度の距離に到達して、エネルギー表の作成を開始することができる。
第１列に示されたメイン発光強度は順次指標値１２８、１２９…１４３に対応する。これらのメイン発光強度はデジタルカメラが露光すると全て同様の目標輝度に達することが可能である。
同様に、エネルギー表第２列の１つ目のメイン発光強度値１,４２２に対応する感度値はＩＳＯ２００で、第２列に示されたメイン発光強度は順次指標値１４４、１４５・・・１５９に対応する。
同樣に、これらのメイン発光強度はデジタルカメラが露光すると全て同様の目標輝度に達することが可能である。同様にエネルギー表のその他の列のメイン発光強度を求めることで、エネルギー表の作成が完成する。
【００１２】
続いて、ステップ１３で図3の様に予備発光表を作成する。
先ず、予備発光表の1列目と２列目では、各種距離については、（同様に）事前設定された予備発光の強度で発射することから、対応する予備発光の輝度値（サブステップ１３１）が求められる。
続いて、基礎感度値（例：ＩＳＯ１００）を使用し、近距離から遠距離までそれぞれ対応するメイン発光強度（サブステップ１３２）を２８２、５６０・・・２,６０６といった様に記録する。
メイン発光強度が最大メイン発光強度（Ｍａｘ）に達すると（サブステップ１３３）、例えば距離が１５０cmとすると、感度値を引き上げると共に、（表１に基づいて）対応する指標値（サブステップ１３４）を記録する。最大メイン発光強度に達するまでの各距離は、例えば１００ｃｍ、８０ｃｍ・・・２０ｃｍという様に、（図２）エネルギー表に基づいて、メイン発光強度を対応する指標値（サブステップ１３５）に変換する。
一例を挙げると、距離１００cmのメイン発光強度は２,６０６であり、これはおよそ（図２）エネルギー表の２,６５５に対応し、これと1つ目のメイン発光強度１５,０００（指標値は１２８）とは６つの指標値が隔たっているため、メイン発光強度２,６０６の指標値は１３４（＝１２８＋６）となる。
同様に、図２の中で枠で囲ったように、その他の距離のメイン発光強度を変換して求められた対応する指標値を求めることが可能である。
前記サブステップ１３１から１３５までに述べた予備発光表の作成によって、最大メイン発光強度とエネルギー表に基づくことで、各距離に対応するメイン発光指標値が求められ、デジタルカメラが露光すると、同様の目標輝度に達することが可能である。
【００１３】
図4は本発明の実施形態に係る撮像のフローチャートを示している。
まず、ステップ４１で、予備発光強度で発射して、フィードバックされた予備発光輝度（ステップ４２）を求める。
続いて、ステップ４３で、求められた予備発光の輝度値に基づいて、（図３）予備発光表を検索し、補間法によりメイン発光強度を求め（メイン発光強度が既に最大に達している場合、感度値を検索して求める）（ステップ４４）、そして対応するメイン発光の指標値を求める。こうすることで撮像を行うことが可能となる。
【００１４】
応用するニーズに応じて感度値を変更しなければならない場合（ステップ４５）、ステップ４３で求められたメイン発光指標値（ステップ４６）調整する必要が有る。
一例を挙げると、（基礎）当初の感度値がＩＳＯ１００であると仮定すると（これに対応する指標値は１２８）、ステップ４３で求められる当初のメイン発光指標値は１２８である。
応用するニーズに応じて新感度値ＩＳＯ２００に変更する場合（これに対応する指標値は１１２＝１２８−１６）、新メイン発光の指標値は１４４（＝１２８＋１６）に調整する。換言すると、下記の公式に当てはまる必要が有る。
当初のメイン発光指標値＋（当初の感度値に対応する）当初の指標値
＝新メイン発光指標値＋（新感度値に対応する）新指標値
【００１５】
続いて、新メイン発光指標値（例如１４４）に基づき、（図２）エネルギー表を検索して対応するメイン発光強度を求める（ステップ４７）。こうすることで撮像を行うことが可能となる。
前記例に続いて、新メイン発光の指標値が１４４に調整されることから、エネルギー表を検索すると１,４２２というメイン発光強度が求められる。
【００１６】
上述の実施形態は本発明の技術思想及び特徴を説明するためのものにすぎず、当該技術分野を熟知する者に本発明の内容を理解させると共にこれをもって実施させることを目的とし、本発明の特許範囲を限定するものではない。
従って、本発明の精神を逸脱せずに行う各種の同様の効果をもつ改良又は変更は、後述の請求項に含まれるものとする。
【符号の説明】
【００１７】
１１〜１３・・・・・・ステップ
１３１〜１３５・・・・サブステップ
４１〜４７・・・・・・ステップ
【図１】
2011242739.tif 000004
【図２】
2011242739.tif 000005
【図３】
2011242739.tif 000006
【図４】
2011242739.tif 000007